(57)【要約】【課題】１つの対物レンズから２本のビームを出射する光ピックアップを使用して可視画像を高品位に描画できるようにする。【解決手段】光ディスク１２には、トラックが形成されたデータ記録層と可視画像の形成が可能な描画層が積層形成されている。光ピックアップ１６は対物レンズ１８から再生パワーの第１のビーム２０と画像データで強度が変調された第２のビーム２２を同軸状に出射する。第１のビーム２０の合焦位置ｆｂと第２のビーム２２の合焦位置ｆａは、光ディスク１２内でデータ記録層と描画層の間隔に近似した固定距離分光軸方向に相互にずれて配置される。スピンドルモータ１４を回転し、第２のビームで描画層にフォーカス制御し、第１のビームでデータ記録層にトラッキング制御した状態で、第２のビームで描画層に描画を行う。【選択図】図１
2008004180.tif 000002
【特許請求の範囲】
【請求項１】
トラックが形成されたデータ記録層と可視画像の形成が可能な描画層とを積層形成した光ディスクを使用して、
光ピックアップの１つの対物レンズから第１のビームと第２のビームを、それらの合焦位置が前記光ディスク内で前記データ記録層と前記描画層の間隔に近似した固定距離分光軸方向に相互にずれて、該第１のビームの合焦位置が該データ記録層側に配置され、該第２のビームの合焦位置が該描画層側に配置されるように出射し、
前記第１のビームについて、その強度を再生パワーに設定し、かつ前記データ記録層に対しフォーカス制御なしで前記対物レンズのトラッキングアクチュエータにより該データ記録層のトラックにトラッキング制御し、
前記第２のビームについて、形成しようとする可視画像の画像データに応じてその強度を変調し、かつ前記描画層に対し前記対物レンズのフォーカスアクチュエータによりフォーカス制御をして該描画層に所定の合焦状態に制御し、
前記第１のビームで前記データ記録層のトラックにトラッキング制御しかつ前記第２のビームで前記描画層にフォーカス制御しながら、該第２のビームで前記描画層に前記可視画像の形成を行う光ディスク描画方法。
【請求項２】
トラックが形成されたデータ記録層と可視画像の形成が可能な描画層とを積層形成した光ディスクを使用して、該光ディスクの前記描画層に可視画像の形成を行う光ディスク描画装置であって、
１つの対物レンズから第１のビームと第２のビームを、それらの合焦位置が前記光ディスク内で前記データ記録層と前記描画層の間隔に近似した固定距離分光軸方向に相互にずれて、該第１のビームの合焦位置が該データ記録層側に配置され、該第２のビームの合焦位置が該描画層側に配置されるように出射する光ピックアップと、
前記第１のビームについて、その強度を再生パワーに設定して、前記データ記録層に対しフォーカス制御なしで前記対物レンズのトラッキングアクチュエータにより該データ記録層のトラックにトラッキング制御し、前記第２のビームについて、前記描画層に対し前記対物レンズのフォーカスアクチュエータによりフォーカス制御をして該描画層に所定の合焦状態に制御する制御回路と、
前記第２のビームについて、形成しようとする可視画像の画像データに応じてその強度を変調するビーム変調回路とを具備し、
前記第１のビームで前記データ記録層のトラックにトラッキング制御しかつ前記第２のビームで前記描画層にフォーカス制御しながら、該第２のビームで前記描画層に前記可視画像の形成を行う光ディスク描画装置。
【請求項３】
前記第１のビームをサーボループを形成せずに固定駆動値で駆動し、前記第２のビームのビームパワーをそのビームパワー検出に基づくサーボループを形成して制御するビーム駆動回路を具備してなる請求項２記載の光ディスク描画装置。
【請求項４】
前記データ記録層が前記描画層よりもレーザ入射面に近い側に配置されている光ディスクに対しては、前記対物レンズから出射されるビームのうち合焦位置が該レーザ入射面に近い方のビームが前記第１のビーム、合焦位置が該レーザ入射面から遠い方のビームが前記第２のビームをそれぞれ構成し、
前記データ記録層が前記描画層よりもレーザ入射面から遠い側に配置されている光ディスクに対しては、前記対物レンズから出射されるビームのうち合焦位置が該レーザ入射面から遠い方のビームが前記第１のビーム、合焦位置が該レーザ入射面に近い方のビームが前記第２のビームをそれぞれ構成する請求項２または３記載の光ディスク描画装置。
【請求項５】
前記描画層に前記可視画像の形成を行っていないときに、前記データ記録層に対し前記第１のビームでフォーカス制御およびトラッキング制御を行いながらデータ記録を行うことができる請求項２から４のいずれかに記載の光ディスク描画装置。
【請求項６】
データ記録層の記録情報から該光ディスクが描画可能な描画層を具えていることを示す識別情報を取得したことを条件に該描画層に対する描画動作を許可し、
データ記録層の記録情報から前記識別情報を取得できない場合は該描画動作を禁止する請求項２から５のいずれかに記載の光ディスク描画装置。
【請求項７】
データ記録層を有し描画層を有しない光ディスクについて、該データ記録層に対し前記いずれかのビームでフォーカス制御およびトラッキング制御を行いながらデータ記録を行うことができる請求項２から６のいずれかに記載の光ディスク描画装置。
【請求項８】
ビーム入射面側から第１の透明基板、描画層、半透明反射層、第２の透明基板、データ記録層、反射層を順次積層配置して一体化した構造を有し、
前記ビーム入射面側から入射するビームにより前記描画層に対する可視画像の形成および前記データ記録層に対するデータの記録および再生が行われ、
前記描画層に形成した可視画像を前記ビーム入射面側から目視可能に構成してなる光ディスク記録媒体。
【請求項９】
前記反射層の上に、前記ビーム入射面と反対の面側から目視可能な可視画像を該ビーム入射面と反対の面側から印刷しまたは印刷可能にした印刷層をさらに具備してなる請求項８記載の光ディスク記録媒体。
【請求項１０】
ビーム入射面側から第１の透明基板、データ記録層、半透明反射層、第２の透明基板、描画層、半透明反射層を順次積層配置して一体化した構造を有し、
前記ビーム入射面側から入射するビームにより前記描画層に対する可視画像の形成および前記データ記録層に対するデータの記録および再生が行われ、
前記描画層に形成した可視画像を前記ビーム入射面と反対の面側から目視可能に構成してなる光ディスク記録媒体。
【請求項１１】
前記データ記録層に該光ディスク記録媒体が描画可能な描画層を具えていることを示す識別情報が記録されている請求項８から１０のいずれかに記載の光ディスク記録媒体。
【発明の詳細な説明】
【技術分野】
【０００１】
この発明は、光ディスクの盤面に可視画像の形成（描画）を行うための光ディスク描画方法および光ディスク描画装置並びに光ディスク記録媒体に関し、可視画像を高品位に形成できるようにしたものである。
【背景技術】
【０００２】
記録可能型ＣＤ、記録可能型ＤＶＤ等の光ディスクの盤面に感熱層、感光層等による描画層を形成し、該光ディスクのデータ記録層にデータ記録を行う光ディスク記録装置を光ディスク描画装置として兼用して、光ピックアップから、画像データに応じて変調したレーザ光を前記描画層に照射して、該描画層に描画を行う技術が下記特許文献１に記載されている。特許文献１に記載の技術は１台の光ピックアップから２本のレーザ光を同軸状に出射し、そのうちの１本のレーザ光をデータ記録層に照射しフォーカス制御およびトラッキング制御してデータ記録を行い、該データ記録と並行して該レーザ光でデータ記録層から位置情報を検出し、該検出された位置情報に基づいて、他の１本のレーザ光で描画層の所定位置に描画を行うものである。
【０００３】
【特許文献１】特開２００５−３４６８８６号公報（図２）
【発明の開示】
【発明が解決しようとする課題】
【０００４】
特許文献１記載の技術は、一方のビームがフォーカス制御によってデータ記録層に合焦状態にあるときに他方のビームが描画層に丁度合焦状態となるように光ピックアップの光学系が構成されている。しかし、データ記録層と描画層間の距離は両層間に配置される基板の厚みのばらつきによりディスクごとに変動する。また、１枚のディスクでもデータ記録層と描画層間の距離は部位により変動する。この特許文献１記載の技術では、一方のビームをデータ記録層にフォーカス制御した状態で他方のビームで描画を行うので、データ記録層と描画層間の距離に変動があると、描画層に対する他方のビームの合焦位置が変動する。このため、描画された画像の描画状態（画像の濃さ等）がディスクによって異なったり、１枚のディスク内でも部位によって描画された画像にムラが生じたりする問題があった。
【０００５】
この発明は、上記従来技術の欠点を解決して、１つの対物レンズから第１ビーム、第２ビームを出射する光ピックアップを使用して可視画像を高品位に描画できるようにした光ディスク描画方法および光ディスク描画装置並びに光ディスク記録媒体を提供しようとするものである。
【課題を解決するための手段】
【０００６】
この発明の光ディスク描画方法は、トラックが形成されたデータ記録層と可視画像の形成が可能な描画層とを積層形成した光ディスクを使用して、光ピックアップの１つの対物レンズから第１のビームと第２のビームを、それらの合焦位置が前記光ディスク内で前記データ記録層と前記描画層の間隔に近似した固定距離分光軸方向に相互にずれて、該第１のビームの合焦位置が該データ記録層側に配置され、該第２のビームの合焦位置が該描画層側に配置されるように出射し、前記第１のビームについて、その強度を再生パワーに設定し、かつ前記データ記録層に対しフォーカス制御なしで前記対物レンズのトラッキングアクチュエータにより該データ記録層のトラックにトラッキング制御し、前記第２のビームについて、形成しようとする可視画像の画像データに応じてその強度を変調し、かつ前記描画層に対し前記対物レンズのフォーカスアクチュエータによりフォーカス制御をして該描画層に所定の合焦状態に制御し、前記第１のビームで前記データ記録層のトラックにトラッキング制御しかつ前記第２のビームで前記描画層にフォーカス制御しながら、該第２のビームで前記描画層に前記可視画像の形成を行うようにしたものである。
【０００７】
この光ディスク描画方法によれば、第２のビームで描画層に対しフォーカス制御を行いながら該第２のビームで該描画層に描画を行うようにしたので、該第２のビームを該描画層に対し常に所定の合焦状態に保って描画を行うことができる。したがって、データ記録層と描画層間の距離にディスクごとの変動または１枚のディスク内での変動があっても、描画された画像の描画状態（画像の濃さ等）がディスクによって異なったり、１枚のディスク内で部位によって描画された画像にムラが生じたりするのを防止して高品位に描画を行うことができる。
【０００８】
また、この光ディスク描画方法によれば、描画時に第１のビームはフォーカス制御しないが、第１のビームと第２のビームは、それらの合焦位置が光ディスク内でデータ記録層と描画層の間隔に近似した固定距離（第２のビームを描画層に対しフォーカス制御した状態で、第１のビームでデータ記録層のトラックに対しトラッキング制御できる距離）分光軸方向に相互にずれた状態となるように光ピックアップの１つの対物レンズから出射されるので、第２のビームを描画層に対しフォーカス制御した状態では、第１のビームは必然的にデータ記録層にほぼ合焦された状態となり、データ記録層のトラックに対しトラッキングできる状態となる。そこで、この光ディスク描画方法では、第１のビームでデータ記録層のトラックにトラッキング制御しながら描画を行うようにしている。これにより、トラックピッチで緻密にしたがって高品位に描画を行うことができる。
【０００９】
この発明の光ディスク描画装置は、トラックが形成されたデータ記録層と可視画像の形成が可能な描画層とを積層形成した光ディスクを使用して、該光ディスクの前記描画層に可視画像の形成を行う光ディスク描画装置であって、１つの対物レンズから第１のビームと第２のビームを、それらの合焦位置が前記光ディスク内で前記データ記録層と前記描画層の間隔に近似した固定距離分光軸方向に相互にずれて、該第１のビームの合焦位置が該データ記録層側に配置され、該第２のビームの合焦位置が該描画層側に配置されるように出射する光ピックアップと、前記第１のビームについて、その強度を再生パワーに設定して、前記データ記録層に対しフォーカス制御なしで前記対物レンズのトラッキングアクチュエータにより該データ記録層のトラックにトラッキング制御し、前記第２のビームについて、前記描画層に対し前記対物レンズのフォーカスアクチュエータによりフォーカス制御をして該描画層に所定の合焦状態に制御する制御回路と、前記第２のビームについて、形成しようとする可視画像の画像データに応じてその強度を変調するビーム変調回路とを具備し、前記第１のビームで前記データ記録層のトラックにトラッキング制御しかつ前記第２のビームで前記描画層にフォーカス制御しながら、該第２のビームで前記描画層に前記可視画像の形成を行うようにしたものである。
【００１０】
この光ディスク描画装置は、ビーム駆動回路が前記第１のビームをサーボループを形成せずに固定駆動値で駆動し、前記第２のビームのビームパワーをそのビームパワー検出に基づくサーボループを形成して制御するものとすることができる。これによれば、光ピックアップがビームパワーモニタを第１のビームと第２のビームで共用する構成となっている場合であってもこの発明の描画方法を実施することができる。
【００１１】
この光ディスク描画装置は、前記データ記録層が前記描画層よりもレーザ入射面に近い側に配置されている光ディスクに対しては、前記対物レンズから出射されるビームのうち合焦位置が該レーザ入射面に近い方のビームが前記第１のビーム、合焦位置が該レーザ入射面から遠い方のビームが前記第２のビームをそれぞれ構成し、前記データ記録層が前記描画層よりもレーザ入射面から遠い側に配置されている光ディスクに対しては、前記対物レンズから出射されるビームのうち合焦位置が該レーザ入射面から遠い方のビームが前記第１のビーム、合焦位置が該レーザ入射面に近い方のビームが前記第２のビームをそれぞれ構成するものとして構成することができる。これによれば、データ記録層が描画層よりもレーザ入射面に近い側に配置されている光ディスク、描画層がデータ記録層よりもレーザ入射面に近い側に配置されている光ディスクのいずれに対してもその描画層に描画を行うことができる。
【００１２】
この光ディスク描画装置は、前記描画層に前記可視画像の形成を行っていないときに、前記データ記録層に対し前記第１のビームでフォーカス制御およびトラッキング制御を行いながらデータ記録を行うことができるように構成することができる。これによれば、ディスク記録装置を兼用することができる。
【００１３】
この光ディスク描画装置は、データ記録層の記録情報から該光ディスクが描画可能な描画層を具えていることを示す識別情報を取得したことを条件に該描画層に対する描画動作を許可し、データ記録層の記録情報から前記識別情報を取得できない場合は該描画動作を禁止するものとすることができる。これによれば、例えばデータ記録層を２層積層形成した構成の光ディスクが装填されたような場合に、その内の１つのデータ記録層に対し誤って描画するのを防止することができる。
【００１４】
この光ディスク描画装置は、データ記録層を有し描画層を有しない光ディスクについて、該データ記録層に対し前記いずれかのビームでフォーカス制御およびトラッキング制御を行いながらデータ記録を行うことができるように構成することができる。これによれば、描画層を有しない光ディスクに対するデータ記録も行えるようになる。
【００１５】
この発明の光ディスク記録媒体は、ビーム入射面側から第１の透明基板、描画層、半透明反射層、第２の透明基板、データ記録層、反射層を順次積層配置して一体化した構造を有し、前記ビーム入射面側から入射するビームにより前記描画層に対する可視画像の形成および前記データ記録層に対するデータの記録および再生が行われ、前記描画層に形成した可視画像を前記ビーム入射面側から目視可能に構成してなるものである。この場合、前記反射層の上に、前記ビーム入射面と反対の面側から目視可能な可視画像を該ビーム入射面と反対の面側から印刷しまたは印刷可能にした印刷層をさらに具備することができる。
【００１６】
この発明の別の光ディスク記録媒体は、ビーム入射面側から第１の透明基板、データ記録層、半透明反射層、第２の透明基板、描画層、半透明反射層を順次積層配置して一体化した構造を有し、前記ビーム入射面側から入射するビームにより前記描画層に対する可視画像の形成および前記データ記録層に対するデータの記録および再生が行われ、前記描画層に形成した可視画像を前記ビーム入射面と反対の面側から目視可能に構成してなるものである。
【００１７】
この発明の光ディスク記録媒体は、前記データ記録層に該光ディスク記録媒体が描画可能な描画層を具えていることを示す識別情報が記録されているものとすることができる。これによれば、該光ディスク記録媒体が描画可能な描画層を具えていることを光ディスク描画装置に認識させることができる。
【発明を実施するための最良の形態】
【００１８】
この発明の実施の形態１を説明する。図１はこの発明が適用された描画機能付き光ディスク装置１０のシステム構成を示す。光ディスク装置１０は既存のＣＤ規格ディスクのデータ記録・再生、既存のＤＶＤ規格ディスクのデータ記録・再生のほか、この発明によるＣＤ規格記録＋描画可能型光ディスクのデータ記録・再生および描画、この発明によるＤＶＤ規格記録＋描画可能型光ディスクのデータ記録・再生および描画を行えるものである。この発明によるＣＤ規格記録＋描画可能型光ディスクおよびＤＶＤ規格記録＋描画可能型光ディスクは後述するようにデータ記録層と描画層が積層形成されたもので、データ記録・再生はデータ記録層に対して行われ、描画は描画層に対して行われる。
【００１９】
光ディスク１２はスピンドルモータ１４で回転駆動される。スピンドルモータ１４からはＦＧパルスが１回転につき所定パルス数ずつ等角度間隔で出力される。光ピックアップ１６はスレッド送りモータ１１によって光ディスク１２の径方向に移送される。光ピックアップ１６の対物レンズ１８からは２個のレーザダイオードから出射される２本のレーザ光２０，２２（いずれも主ビーム）が同軸状にかつそれらの合焦位置が光ディスク１２内でデータ記録層と描画層の間隔に近似した固定距離分光軸方向に相互にずれた状態となるように出射される。ここではレーザ光２０がＣＤ用、レーザ光２２がＤＶＤ用であるとする。データ記録とデータ再生と描画は択一的に（非同時に）行われる。
【００２０】
ホストコンピュータ１３からは、データ記録時には音楽等の記録データが送出され、描画時には画像データが送出される。この記録データあるいは画像データは光ディスク装置１０に転送され、バッファメモリ１５を介して信号処理部１７に入力される。信号処理部１７はＤＳＰ（Digital Signal Processor）で構成され、制御部１９、エンコーダ２１、デコーダ２３等を具備する。信号処理部１７に入力された記録データはエンコーダ２１でエンコード（光ディスク１２がＣＤ規格ディスクの場合はＥＦＭ変調、ＤＶＤ規格ディスクの場合は８／１６変調）される。エンコードされた記録データ（“１”、“０”２値の記録パルス）はストラテジー回路２５で適宜の時間軸補正が施されてレーザドライバ２７に供給される。レーザドライバ２７はこの記録データに応じて光ピックアップ１６内のレーザダイオード（ＣＤデータの場合はＣＤ用レーザダイオード、ＤＶＤデータの場合はＤＶＤ用レーザダイオード）に駆動電流を供給し、光ディスク１２のデータ記録層にデータ記録を行う。
【００２１】
信号処理部１７に入力された画像データはエンコーダ２１で適宜のエンコード処理をされた後、ＦＩＦＯ（First-In First-Out）メモリ２９を経てパルス生成部３１に入力される。パルス生成部３１は入力される画像データに基づき、該画像データを構成する画素ごとの“１”、“０”２値のパルス信号（描画パルス）を生成する。すなわち、画像データは描画する各画素の階調を表すデータ（階調データ）で構成されており、パルス生成部３１は、１画素あたりの描画割り当て時間が一定で該各画素の階調データに応じてデューティが変化する描画パルスを順次生成する。パルス生成部３１で生成された描画パルスはストラテジー回路２５で適宜の時間軸補正が施されてレーザドライバ２７に供給される。レーザドライバ２７はこの描画パルスに応じて光ピックアップ１６内のレーザダイオード（ＣＤ用レーザダイオードまたはＤＶＤ用レーザダイオード）を駆動し、光ディスク１２の描画層に描画を行う。描画された１つの画素は人の目には１つの点（ドット）として認識され、また各ドットのデューティの違いは人の目には描画の濃度の違いとして感じられる（デューティが高いほど濃い描画として感じられる）ので、これによりモノクロ多階調による描画が実現される。
【００２２】
ウォブル検出回路３３はデータ記録時および再生時に光ピックアップ１６の戻り光信号からウォブル信号を検出する。ＲＦ回路３５はデータ記録時および再生時に光ピックアップ１６の戻り光信号（ＲＦ信号）を増幅する。信号処理部１７のデコーダ２３はこのＲＦ信号をデコード（光ディスク１２がＣＤ規格ディスクの場合はＥＦＭ復調、ＤＶＤ規格ディスクの場合は８／１６復調）して記録データを復調する。復調された記録データはバッファメモリ１５を介してホストコンピュータ１３に転送される。
【００２３】
サーボ回路３７はデータ記録時および再生時に光ピックアップ１６の戻り光（ＣＤデータの記録および再生時はＣＤ用レーザ光２０の戻り光、ＤＶＤデータの記録および再生時はＤＶＤ用レーザ光２２の戻り光）に基づき光ピックアップ１６のフォーカス制御、トラッキング制御、スレッド送り制御を行う。また、サーボ回路３７はデータ記録時にスピンドルモータ１４をウォブル信号に基づき線速度一定（ＣＬＶ）に制御し、データ再生時にスピンドルモータ１４をウォブル信号またはＲＦ信号から再生される再生クロックに基づき線速度一定に制御する。
【００２４】
サーボ回路３７は描画時に光ピックアップ１６の戻り光のうち描画に使用している方のレーザ光の再生パワー時（非描画パワー時）の戻り光に基づきフォーカス制御を行い、描画に使用していない方の再生パワーのレーザ光の戻り光に基づきトラッキング制御およびスレッド送り制御を行う。また、サーボ回路３７は描画時にスピンドルモータ１４から出力されるＦＧパルスに基づき該スピンドルモータ１４を回転数一定（ＣＡＶ）に制御する。
【００２５】
ＡＬＰＣ（Automatic Laser Power Control）回路３９は光ピックアップ１６内のフロントモニタで検出されるレーザパワーに基づき、データ記録時はデータ記録を行うレーザ光の再生パワーおよび記録パワーが、データ再生時はデータ再生を行うレーザ光の再生パワーが、それぞれ制御部１９で指令された値に一致するようにレーザドライバ２７を制御する。また、ＡＬＰＣ回路３９は描画時は光ピックアップ１６内のフロントモニタで検出されるレーザパワーに基づき、描画に使用している方のレーザ光の記録パワー（描画パワー）および再生パワー（非描画パワー）が制御部１９で指令された値に一致するようにレーザドライバ２７を制御する。なお、この実施の形態では後述するように光ピックアップ１６はフロントモニタを１台しか搭載していないので、描画に使用していない方（トラッキング制御に使用する方）のレーザ光の再生パワーはＡＬＰＣ制御を行わずに固定駆動値で駆動する。
【００２６】
この発明による描画可能型光ディスクの層構造例を図２〜図４を参照して説明する。図２および図３はＣＤ規格記録＋描画可能型光ディスク、図４はＤＶＤ規格記録＋描画可能型光ディスクである。図２〜図４の光ディスク１２はいずれも、同一面側から波長および合焦位置が異なるレーザ光２０，２２を入射してデータ記録層に対するデータ記録および再生と描画層に対する描画を行うことができる。光ディスク１２のレーザ光２０，２２が入射される側の面を「レーザ入射面１２ａ」といい、その反対側の面を「レーベル面１２ｂ」というものとする。図２〜図４はいずれも、一方のレーザ光でデータ記録層にトラッキング制御し他方のレーザ光で描画層にフォーカス制御しながら、該他方のレーザ光で描画を行っている描画時の状態を示す。なお、図２〜図４では説明の便宜上レーザ光２０，２２を離れた位置に図示しているが、実際にはレーザ光２０，２２は１つの対物レンズ１８から同軸状に出射される。
【００２７】
図２〜図４において、描画層はレーザ光の照射により可視光特性が変化するもので、感熱材料、感光材料等で構成されている。この描画層は例えばデータ記録層と同じ色素材料で構成することができる。データ記録層にはトラックとしてウォブルグルーブが形成されている。描画層にはトラックは形成されていない。データ記録層と描画層の配列順序は、データ記録層の方がレーザ入射側に近い配置、描画層の方がレーザ入射側に近い配置のいずれもとり得る。レーザ入射側から見て奥側の層への該レーザ光の照射は手前側の層を透過して行われる。図２〜図４の層構造はいずれも描画層を、データ記録層に対し、該描画層に描画された画像を目視する方向に近い側に配置し、該画像を視認しやすくしている。
【００２８】
図２および図３のＣＤ規格記録＋描画可能型光ディスク１２は正規のＣＤ−Ｒディスクで使用されている１．２ｍｍ厚の１枚の基板に代えて、それぞれ０．６ｍｍ厚に形成されている２枚の基板を用意し、これら２枚の基板を、間に描画層を挟んで相互に貼り合わせたものである。このＣＤ規格記録＋描画可能型光ディスク１２の描画時はＣＤ用レーザ光２０でトラッキング制御を行い、ＤＶＤ用レーザ光２２で描画およびフォーカス制御を行う。これに対し、図４のＤＶＤ規格記録＋描画可能型光ディスク１２はＤＶＤディスクに描画層を追加形成したものである。このＤＶＤ規格記録＋描画可能型光ディスク１２の描画時はＤＶＤ用レーザ光２２でトラッキング制御を行い、ＣＤ用レーザ光２０で描画およびフォーカス制御を行う。以下、光ディスク１２の描画時に、レーザ光２０，２２のうちトラッキング制御用レーザ光として用いられる方（第１のビーム）を「トラッキング制御用レーザ光Ａ」といい、描画およびフォーカス制御用レーザ光として用いられる方（第２のビーム）を「描画・フォーカス制御用レーザ光Ｂ」という。図２〜図４において共通する部分には同一の符号を用いる。
【００２９】
図２〜図４の各光ディスク１２について説明する。
《光ディスクの層構造例１：図２〉
図２のＣＤ規格記録＋描画可能型光ディスク１２はグルーブが形成されていない０．６ｍｍ厚のポリカーボネート基板２４の表面に描画層２６、合焦制御用半透明反射層２８を順次積層した第１基板３０と、０．６ｍｍ厚のポリカーボネート基板３２のグルーブ３４が形成されている表面にデータ記録層３６、合焦制御用反射層３８、保護層４０を順次積層した第２基板４２とを、透明接着層４４で相互に接合して、全体を１．２ｍｍ厚の一体構造に形成したものである。描画時に描画・フォーカス制御用レーザ光Ｂ（２２）は描画層２６に合焦するようにフォーカス制御される。このとき、トラッキング制御用レーザ光Ａ（２０）は、合焦位置ｆａ，ｆｂ間がデータ記録層３６と描画層２６間の距離（０．６ｍｍ）に近似した固定距離に設定されているので、必然的にデータ記録層３６にほぼ合焦された状態となる。そこで、描画時は光ディスク１２を所定回転数で回転駆動し、トラッキング制御用レーザ光Ａ（２０）でグルーブ３４にトラッキング制御した状態で、描画・フォーカス制御用レーザ光Ｂ（２２）で描画層２６に描画を行うことができる。描画された可視画像はレーザ入射面１２ａ側から目視することができる。
【００３０】
《光ディスクの層構造例２：図３〉
図３のＣＤ規格記録＋描画可能型光ディスク１２は図２の光ディスク１２の変形例であり、最表面の保護層４０の上に別の画像を予め印刷した（またはユーザーが印刷可能な）印刷層４６を積層形成したものである。すなわち、印刷層４６には予めディスクメーカーやディスク販売者・頒布者等が任意の画像を印刷しておくことができる。あるいは、印刷層４６を無地の白色等に形成し、ユーザーがプリンタ等を使用して任意の画像を印刷できるようにしておくことができる。描画層２６に描画された可視画像はレーザ入射面１２ａ側から目視され、印刷層４６に印刷された画像はレーベル面１２ｂ側から目視される。
【００３１】
《光ディスクの層構造例３：図４〉
図４のＤＶＤ規格記録＋描画可能型光ディスク１２はＤＶＤ−Ｒ（＋Ｒ）に描画層を追加形成したものである。この光ディスク１２は０．６ｍｍ厚のポリカーボネート基板２４のグルーブ３４が形成されている表面にデータ記録層３６、合焦制御用半透明反射層２８を順次積層した第１基板３０と、０．６ｍｍ厚のグルーブが形成されていないポリカーボネート基板３２の表面に描画層２６、合焦制御用半透明反射層４８、保護層４０を順次積層した第２基板４２とを、透明接着層４４で相互に接合して、全体を１．２ｍｍ厚の一体構造に形成したものである。描画時に描画・フォーカス制御用レーザ光Ｂ（２０）は描画層２６に合焦するようにフォーカス制御される。このとき、トラッキング制御用レーザ光Ａ（２２）は、合焦位置ｆａ，ｆｂ間がデータ記録層３６と描画層２６間の距離（０．６ｍｍ）に近似した固定距離に設定されているので、必然的にデータ記録層３６にほぼ合焦された状態となる。そこで、描画時は光ディスク１２を所定回転数で回転駆動し、トラッキング制御用レーザ光Ａ（２２）でグルーブ３４にトラッキング制御した状態で、描画・フォーカス制御用レーザ光Ｂ（２０）で描画層２６に描画を行うことができる。描画された可視画像は半透明反射層４８を透過してレーベル面１２ｂ側から目視することができる。
【００３２】
次に、光ピックアップ１６の光学系の構成例を図５に示す。光ピックアップ１６は波長が７８０ｎｍのＣＤ用レーザ光２０を出射するＣＤ用レーザダイオード５０と、波長が６５０ｎｍのＤＶＤ用レーザ光２２を出射するＤＶＤ用レーザダイオード５２を搭載している。ＣＤ用レーザダイオード５０は受光素子付きホログラムレーザで構成されている。ＣＤ用レーザダイオード５０から出射されたＣＤ用レーザ光２０は、コリメータレンズ５４で平行光（または平行光に近い発散光）にされた後、ビームスプリッタ５６を透過し、ハーフミラー５８で一部が反射され、１／４波長板６０を経て対物レンズ１８から開口数０．４５程度で出射されて、光ディスク１２に照射される。ＣＤ用レーザ光２０に対する対物レンズ１８の開口数は例えば対物レンズ１８に入射するＣＤ用レーザ光２０のビーム径の調整で設定することができる。光ディスク１２で反射されたＣＤ用レーザ光２０の戻り光は対物レンズ１８から入射され、１／４波長板６０を経てハーフミラー５８で一部が反射され、ビームスプリッタ５６を透過し、コリメータレンズ５４で収束され、ＣＤ用レーザダイオード５０（受光素子付きホログラムレーザ）内の受光素子で受光される。この受光素子の受光信号に基づきトラッキングエラー検出、フォーカスエラー検出、ウォブル検出、クロック再生、記録データの復調等が行われる。なお、ビームスプリッタ５６は図５で上側の面５６ａ（フィルタ面）が波長選択性を有するミラーで構成されているものであり、この面５６ａに入射される波長７８０ｎｍのＣＤ用レーザ光２０を透過させ、波長６５０ｎｍのＤＶＤ用レーザ光２２を反射させる特性を有するものである。
【００３３】
ＤＶＤ用レーザダイオード５２から出射されたＤＶＤ用レーザ光２２は回折格子６２を経て偏光ビームスプリッタ６４を透過し、コリメータレンズ６６で平行光にされた後、ビームスプリッタ５６で反射され、ハーフミラー５８で一部が反射され、１／４波長板６０を経てＣＤ用レーザ光２０と同軸状に対物レンズ１８から開口数０．６５程度で出射されて、光ディスク１２に照射される。ＤＶＤ用レーザ光２２に対する対物レンズ１８の開口数は例えば対物レンズ１８に入射するＤＶＤ用レーザ光２２のビーム径の調整で設定することができる。ＣＤ用レーザ光２０とＤＶＤ用レーザ光２２の各合焦位置は光ディスク１２内でデータ記録層と描画層の間隔（０．６ｍｍ）に近似した固定距離分光軸方向に相互にずれた位置に配置される。光ディスク１２で反射されたＤＶＤ用レーザ光２２の戻り光は対物レンズ１８から入射され、１／４波長板６０を経てハーフミラー５８で一部が反射され、ビームスプリッタ５６で反射され、コリメータレンズ６６で収束され、偏光ビームスプリッタ６４で反射され、凹レンズ６８（検出レンズ）を経て受光部７０（受光素子）で受光される。この受光部７０の受光信号に基づきトラッキングエラー検出、フォーカスエラー検出、ウォブル検出、クロック再生、記録データの復調等が行われる。
【００３４】
なお、対物レンズ１８はその表面１８ａに輪帯状の回折構造（ブレーズ化ホログラム）を有し、ＣＤとＤＶＤの基板厚の違いによる球面収差を補正する。ＣＤ用レーザ光２０とＤＶＤ用レーザ光２２の各合焦位置を光ディスク１２内でデータ記録層と描画層の間隔（０．６ｍｍ）に近似した固定距離分光軸方向に相互に離して配置する方法としては、例えば次が考えられる。
（ａ）対物レンズ表面１８ａのホログラムを、ＣＤ用レーザ光２０に対し凹レンズの作用をするように設計する。これにより、ＣＤ用レーザ光２０の合焦位置はＤＶＤ用レーザ光２２の合焦位置から遠ざかった位置に配置される。
（ｂ）対物レンズ１８に対しＤＶＤ用レーザ２２を平行光（無限光学系）で入射させ、ＣＤ用レーザ光２０を発散光（有限光学系）で入射させるようにコリメータレンズ６６，５４を設計し配置する。これにより、ＣＤ用レーザ光２０の合焦位置はＤＶＤ用レーザ光２２の合焦位置から遠ざかった位置に配置される。
【００３５】
受光素子７２はＣＤ用レーザ光２０およびＤＶＤ用レーザ光２２に共通のフロントモニタとして、いずれか一方のレーザパワーの検出に択一的に使用されるものである。すなわち、ＣＤ用レーザ光２０を使用してデータ記録および再生を行うときはＣＤ用レーザ光２０の一部の光がハーフミラー５８を透過して受光素子７２に受光される。この受光素子７２の受光信号に基づきＣＤ用レーザ光２０のＡＬＰＣによる出射パワー制御（データ記録時は記録パワーおよび再生パワーの制御、データ再生時は再生パワーの制御）が行われる。また、ＤＶＤ用レーザ光２２を使用してデータ記録および再生を行うときはＤＶＤ用レーザ光２２の一部の光がハーフミラー５８を透過して受光素子７２に受光される。この受光素子７２の受光信号に基づきＤＶＤ用レーザ光２２のＡＬＰＣによる出射パワー制御（データ記録時は記録パワーおよび再生パワーの制御、データ再生時は再生パワーの制御）が行われる。
【００３６】
描画時にはＣＤ用レーザ光２０とＤＶＤ用レーザ光２２の一方のレーザ光で描画およびフォーカス制御を行いながら他方のレーザ光でトラッキング制御を行うので、ＣＤ用レーザ光２０とＤＶＤ用レーザ光２２が同時に使用される。ところが、フロントモニタは受光素子７２の１つしか用意されていない。そこで、この実施の形態では、描画時は描画・フォーカス制御用レーザ光Ｂについて受光素子７２を使用してＡＬＰＣによる出射パワー制御｛記録パワー（描画パワー）および再生パワー（非描画パワー）の制御｝を行い、トラッキング制御用レーザ光ＡについてはＡＬＰＣによる出射パワー制御を行わずに所定の再生パワーを実現する固定電流駆動としている。トラッキング制御用レーザ光Ａはトラッキングを行うだけであるので固定電流駆動でも十分機能を果たすことができる。
【００３７】
フォーカスアクチュエータ７４はＣＤ用レーザ光２０およびＤＶＤ用レーザ光２２に共通のフォーカスアクチュエータとして、いずれか一方のフォーカスエラー信号に基づいて駆動され、対物レンズ１８をフォーカス制御方向に動作させる。トラッキングアクチュエータ７６はＣＤ用レーザ光２０およびＤＶＤ用レーザ光２２に共通のトラッキングアクチュエータとして、いずれか一方のトラッキングエラー信号に基づいて駆動され、対物レンズ１８をトラッキング制御方向に動作させる。データ記録または再生時は一方のレーザ光のみが使用されるので、この使用される方のレーザ光に基づいてトラッキング制御およびフォーカス制御を行う。また、描画時は描画・フォーカス制御用レーザ光Ｂに基づいてフォーカス制御を行い、トラッキング制御用レーザ光Ａに基づいてトラッキング制御を行う。
【００３８】
図１のサーボ回路３７におけるフォーカス制御、トラッキング制御、スレッド送り制御に関する部分の構成例を図６に示す。フォーカス制御は、ＣＤ用レーザ光２０の戻り光信号から検出されるフォーカスエラー信号とＤＶＤ用レーザ光２２の戻り光信号から検出されるフォーカスエラー信号のうちスイッチ５７で選択された方の信号をドライブ回路５９に供給し、ドライブ回路５９でフォーカスアクチュエータ７４を駆動してフォーカスエラーを打ち消すようにサーボループが構成されている。
【００３９】
トラッキング制御は、ＣＤ用レーザ光２０の戻り光信号から検出されるトラッキングエラー信号とＤＶＤ用レーザ光２２の戻り光信号から検出されるトラッキングエラー信号のうちスイッチ６７で選択された方の信号をドライブ回路６９に供給し、ドライブ回路６９でトラッキングアクチュエータ７６を駆動してトラッキングエラーを打ち消すようにサーボループが構成されている。スレッド送り制御は、スイッチ６７で選択されたトラッキングエラー信号について直流成分検出回路７５で直流成分を検出し、ドライブ回路７７を介してスレッド送りモータ１１（ＤＣモータ）を駆動して該直流成分を打ち消すようにサーボループが構成されている。図６の各スイッチ５７，６７の切り換えは信号処理部１７（図１）の制御部１９によって行われる。
【００４０】
ＣＤ用レーザダイオード５０と、ＤＶＤ用レーザダイオード５２の駆動回路の構成例（図１のＡＬＰＣ回路３９とレーザドライバ２７の構成例）を図７に示す。この回路はＣＤ用レーザダイオード駆動回路７８とＤＶＤ用レーザダイオード駆動回路８０を具え、フロントモニタ用受光素子７２を両駆動回路７８，８０で共用する構成を有している。スイッチ８２はフロントモニタ用受光素子７２の用途を切り換えるもので、ＣＤ用レーザダイオード駆動回路７８用に使用するときは接点ａに接続され、ＤＶＤ用レーザダイオード駆動回路８０用に使用するときは接点ｂに接続される。データ記録または再生時はＣＤ用レーザダイオード５０、ＤＶＤ用レーザダイオード５２のいずれか一方が使用されるので、スイッチ８２は該当する方の駆動回路側に接続される。このとき他方のレーザダイオードの駆動は休止（消灯）される。描画時はスイッチ８２は描画を行うレーザ光の駆動回路側に接続され、このときトラッキング制御を行うレーザ光の駆動回路は固定の再生（リード）パワー駆動電圧を出力する。図７のスイッチ８２およびサーボスイッチ１００，１０２，１０４，１０６の接続状態は、既存のＤＶＤ−Ｒ（＋Ｒ）もしくは図４の描画層付きＤＶＤ−Ｒ（＋Ｒ）のデータ記録時、または図４の描画層付きＤＶＤ−Ｒ（＋Ｒ）の描画時（このとき、ＣＤ用レーザ光２０はトラッキング制御用レーザ光Ａを構成する）の状況を示している。
【００４１】
ＣＤ用レーザダイオード駆動回路７８は再生パワー駆動電圧を出力するＣＤ用再生パワー駆動電圧出力回路８４と記録（ライト）パワー駆動電圧を出力するＣＤ用記録パワー駆動電圧出力回路８６を並列に具えている。ＤＶＤ用レーザダイオード駆動回路８０は再生パワー駆動電圧を出力するＤＶＤ用再生パワー駆動電圧出力回路８８と記録パワー駆動電圧を出力するＤＶＤ用記録パワー駆動電圧出力回路９０を並列に具えている。各駆動電圧出力回路８４，８６，８８，９０は、サンプルホールド回路９２、９４，９６，９８と、サーボスイッチ１００，１０２，１０４，１０６と、設定器１１１，１１３，１１５，１１７と、アンプ１１９，１２１，１２３，１２５でそれぞれ構成されている。
【００４２】
サンプルホールド回路９２，９４，９６，９８はフロントモニタ用受光素子７２で検出されるレーザパワーをサンプルホールドする。サーボスイッチ１００，１０２，１０４，１０６は、各駆動電圧出力回路８４，８６，８８，９０によるサーボ制御系統をオン、オフする。設定器１１１，１１３はサーボループ形成時に、ＣＤ用レーザダイオード５０の再生パワー指令電圧値｛再生パワー（または非描画パワー）の目標値を指令する電圧値｝Ｖ１、記録パワー指令電圧値｛記録パワー（または描画パワー）の目標値を指令する電圧値｝Ｖ２をそれぞれ出力する。また、設定器１１１は、図４の描画層付きＤＶＤ−Ｒ（＋Ｒ）の描画時に（このときサーボスイッチ１００はオフ）、トラッキング制御用レーザ光Ａとして使用される再生パワーのＣＤ用レーザ光２０を出射させるための固定電圧Ｖ１を出力する。設定器１１５，１１７はサーボループ形成時に、ＤＶＤ用レーザダイオード５２の再生パワー指令電圧値｛再生パワー（または非描画パワー）の目標値を指令する電圧値｝Ｖ３、記録パワー指令電圧値｛記録パワー（または描画パワー）の目標値を指令する電圧値｝Ｖ４をそれぞれ出力する。また、設定器１１５は、図２、図３の描画層付きＣＤ−Ｒの描画時に（このときサーボスイッチ１０４はオフ）、トラッキング制御用レーザ光Ａとして使用される再生パワーのＤＶＤ用レーザ光２２を出射させるための固定電圧Ｖ３を出力する。アンプ１１９，１２１，１２３，１２５はサーボスイッチ１００，１０２，１０４，１０６がオンしているときにサンプルホールド値とパワー指令電圧値Ｖ１、Ｖ２、Ｖ３、Ｖ４との偏差電圧をそれぞれ出力する。図４の描画層付きＤＶＤ−Ｒ（＋Ｒ）の描画時は（このときサーボスイッチ１００はオフ）、アンプ１１９はバッファーアンプとして固定電圧Ｖ１を出力する。図２、図３の描画層付きＣＤ−Ｒの描画時は（このときサーボスイッチ１０４はオフ）、アンプ１２３はバッファーアンプとして固定電圧Ｖ３を出力する。
【００４３】
電圧・電流変換器１３１，１３３，１３５，１３７は駆動電圧出力回路８４，８６，８８，９０から出力される電圧をその電圧値に比例した電流に変換する。電圧・電流変換器１３３，１３７の出力経路にはスイッチ１２７，１２９がそれぞれ配設されている。これらスイッチ１２７，１２９はストラテジー回路２５から出力される記録パルスまたは描画パルスの信号レベル“１”、“０”に応じてそれぞれオン、オフされる。加算器１３９は電圧・電流変換器１３１，１３３の出力電流を加算してＣＤ用レーザダイオード５０を駆動する。加算器１４１は電圧・電流変換器１３５，１３７の出力電流を加算してＤＶＤ用レーザダイオード５２を駆動する。
【００４４】
次に、光ディスク１２の描画層に描画する１枚の画像を構成する画素の配列例を説明する。該画素の配列例を図８に模式的に示す。符号１２ｃは光ディスク１２の中心穴を示す。１枚の画像を構成する画素Ｐ１１，Ｐ１２，・・・，Ｐ１ｎ，Ｐ２１，Ｐ２２，・・・Ｐ２ｎ，・・・・・・，Ｐｍｎは光ディスク１２の中心点を中心にデータ記録層のトラック（ウォブルグルーブ）が形成されている領域にトラックピッチΔｒで螺旋状に配列される。画素の周方向の配列間隔（角度）Δθは一定であり、したがって１周あたりの画素数ｎは径方向位置にかかわらず常に一定である。なお、描画する側（レーザ入射面１２ａ側）から見た画像とレーベル面１２ｂ側から見た画像は表裏が反転するので、描画された画像を光ディスク１２のレーベル面１２ｂ側から目視する場合（図４のディスク層構造）は、描画する画像の原図は表裏を反転して用い、目視する側（レーベル面１２ｂ側）から見て表裏が正しく表示されるように描画する。
【００４５】
描画・フォーカス制御用レーザ光Ｂによる描画は光ディスク１２をＣＡＶ制御して内周側から順次外周側に向けて実行される。すなわち、描画時は、基準クロックに同期してスピンドルモータ１４がＣＡＶ制御され、かつこの基準クロックに同期してパルス生成部３１（図１）から一定速度（１個の画素あたりの描画割り当て時間が一定で、１周あたりｎ個の画素を描画する速度）で各画素Ｐ１１，Ｐ１２，・・・，Ｐ１ｎ，Ｐ２１，Ｐ２２，・・・Ｐ２ｎ，・・・・・・，Ｐｍｎの描画パルスが順次出力される。このとき、トラッキング制御用レーザ光Ａでデータ記録層のトラックに対するトラッキング制御が行われ、かつトラッキング制御用レーザ光Ａと描画・フォーカス制御用レーザ光Ｂの相互の位置関係は固定であるので、描画径方向位置はトラックピッチΔｒで順次外周方向に移動していく。各画素の描画パルスはその階調に応じたデューティを有するので、これによりモノクロ多階調による描画が順次進行していく。このようにして、描画は１周あたりｎ画素ずつ一定速度で連続的に行われ、ｍ周回で完了する。その結果、各画素が図８に示す位置にそれぞれ描画されて、対応する画像が光ディスク１２の盤面に表示される。
【００４６】
以上の構成の光ディスク装置１０の各動作モード時の制御について説明する。
《既存のＣＤ−Ｒまたは図２、図３の描画層付きＣＤ−Ｒのデータ記録時》
図６のスイッチ５７，６７はそれぞれＣＤ側に接続される。図７のスイッチ８２は接点ａ側に接続される。サーボスイッチ１００，１０２はオンされ、サーボスイッチ１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７は記録パルスの信号レベル“１”、“０”に応じてオン、オフされる。これにより、ＣＤ用レーザダイオード５０は、記録パルスが“１”のときは電圧・電流変換器１３１，１３３の出力電流を加算した電流で駆動され、記録パルスが“０”のときは電圧・電流変換器１３１の出力電流のみで駆動される。このとき、フロントモニタ用受光素子７２で検出される記録パルスが“１”のときのレーザパワーはサンプルホールド回路９４にサンプルホールドされ、記録パルスが“０”のときのレーザパワーはサンプルホールド回路９２にサンプルホールドされる。アンプ１１９は記録パルスが“０”のときのレーザパワーを設定器１１１に設定された適宜の再生パワー指令電圧値Ｖ１に相当するパワーに制御する。アンプ１２１は、記録パルスが“１”のときのレーザパワーを設定器１１３に設定された適宜の記録パワー指令電圧値Ｖ２に相当するパワーに制御する。これにより、記録パルスに応じたデータ記録が行われる。フォーカス制御およびトラッキング制御は記録パルスが“０”のとき（つまり再生パワー時）のＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号に基づくＣＬＶ制御で行われる。
【００４７】
《既存のＣＤ−Ｒまたは図２、図３の描画層付きＣＤ−Ｒのデータ再生時》
図６のスイッチ５７，６７はそれぞれＣＤ側に接続される。図７のスイッチ８２は接点ａ側に接続される。サーボスイッチ１００はオンされ、サーボスイッチ１０２，１０４，１０６はオフされる。これにより、ＣＤ用レーザダイオード駆動回路７８は能動状態となり、ＤＶＤ用レーザダイオード駆動回路８０は休止状態（ＤＶＤ用レーザダイオード５２はオフ）となる。スイッチ１２７，１２９は常時オフされる。これにより、ＣＤ用レーザダイオード５０は電圧・電流変換器１３１の出力電流のみで連続駆動される。このとき、フロントモニタ用受光素子７２で検出されるレーザパワーはサンプルホールド回路９２に所定周期でサンプルホールドされる。アンプ１１９はレーザパワーを設定器１１１に設定された適宜の再生パワー指令電圧値Ｖ１に相当するパワーに制御する。これにより、データ再生が行われる。フォーカス制御およびトラッキング制御はＣＤ用レーザ光２０の戻り光に基づいて行われる。光ピックアップ１６のスレッド送り制御はＣＤ用レーザ光２０によるトラッキングエラー信号の直流成分に基づいて行われる。スピンドル制御はウォブル信号または再生クロックに基づくＣＬＶ制御で行われる。
【００４８】
《既存のＤＶＤ−Ｒ（＋Ｒ）または図４の描画層付きＤＶＤ−Ｒ（＋Ｒ）のデータ記録時》
図６のスイッチ５７，６７はそれぞれＤＶＤ側に接続される。図７のスイッチ８２は接点ｂ側に接続される。サーボスイッチ１０４，１０６はオンされ、サーボスイッチ１００，１０２はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２９は記録パルスの信号レベル“１”、“０”に応じてオン、オフされる。これにより、ＤＶＤ用レーザダイオード５２は、記録パルスが“１”のときは電圧・電流変換器１３５，１３７の出力電流を加算した電流で駆動され、記録パルスが“０”のときは電圧・電流変換器１３５の出力電流のみで駆動される。このとき、フロントモニタ用受光素子７２で検出される記録パルスが“１”のときのレーザパワーはサンプルホールド回路９８にサンプルホールドされ、記録パルスが“０”のときのレーザパワーはサンプルホールド回路９６にサンプルホールドされる。アンプ１２３は記録パルスが“０”のときのレーザパワーを設定器１１５に設定された適宜の再生パワー指令電圧値Ｖ３に相当するパワーに制御する。アンプ１２５は、記録パルスが“１”のときのレーザパワーを設定器１１７に設定された適宜の記録パワー指令電圧値Ｖ４に相当するパワーに制御する。これにより、記録パルスに応じたデータ記録が行われる。フォーカス制御およびトラッキング制御は記録パルスが“０”のとき（つまり再生パワー時）のＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号に基づくＣＬＶ制御で行われる。
【００４９】
《既存のＤＶＤ−Ｒ（＋Ｒ）または図４の描画層付きＤＶＤ−Ｒ（＋Ｒ）のデータ再生時》
図６のスイッチ５７，６７はそれぞれＤＶＤ側に接続される。図７のスイッチ８２は接点ｂ側に接続される。サーボスイッチ１０４はオンされ、サーボスイッチ１００，１０２，１０６はオフされる。これにより、ＤＶＤ用レーザダイオード駆動回路８０は能動状態となり、ＣＤ用レーザダイオード駆動回路７８は休止状態（ＣＤ用レーザダイオード５０はオフ）となる。スイッチ１２７，１２９は常時オフされる。これにより、ＤＶＤ用レーザダイオード５２は電圧・電流変換器１３５の出力電流のみで連続駆動される。このとき、フロントモニタ用受光素子７２で検出されるレーザパワーはサンプルホールド回路９６に所定周期でサンプルホールドされる。アンプ１２３はレーザパワーを設定器１１５に設定された適宜の再生パワー指令電圧値Ｖ３に相当するパワーに制御する。これにより、データ再生が行われる。フォーカス制御およびトラッキング制御はＤＶＤ用レーザ光２２の戻り光に基づいて行われる。光ピックアップ１６のスレッド送り制御はＤＶＤ用レーザ光２２によるトラッキングエラー信号の直流成分に基づいて行われる。スピンドル制御はウォブル信号または再生クロックに基づくＣＬＶ制御で行われる。
【００５０】
《図２、図３の描画層付きＣＤ−Ｒの描画時》
図６のフォーカス制御切換スイッチ５７はＤＶＤ側に接続され、トラッキング制御切換スイッチ６７はＣＤ側に接続される。図６のスイッチ５７，６７はこのときの接続状態を示す。図７のスイッチ８２は接点ｂ側に接続される。サーボスイッチ１０４，１０６はオンされ、サーボスイッチ１００，１０２はオフされる。スイッチ１２９は描画パルスの信号レベル“１”、“０”に応じてオン、オフされる。これにより、ＤＶＤ用レーザダイオード５２は、描画パルスが“１”のときは電圧・電流変換器１３５，１３７の出力電流を加算した電流で駆動され、描画パルスが“０”のときは電圧・電流変換器１３５の出力電流のみで駆動される。このとき、フロントモニタ用受光素子７２で検出される描画パルスが“１”のときのレーザパワーはサンプルホールド回路９８にサンプルホールドされ、描画パルスが“０”のときのレーザパワーはサンプルホールド回路９６にサンプルホールドされる。アンプ１２３は描画パルスが“０”のときのレーザパワーを設定器１１５に設定された適宜の再生パワー（非描画パワー）指令電圧値Ｖ３に相当するパワーに制御する。アンプ１２５は、描画パルスが“１”のときのレーザパワーを設定器１１７に設定された適宜の記録パワー（描画パワー）指令電圧値Ｖ４に相当するパワーに制御する。これにより、描画パルスに応じた描画が行われる。フォーカス制御はＤＶＤ用レーザ光２２の戻り光に基づいて行われる。また、ＣＤ用レーザダイオード駆動回路７８はアンプ１１９から設定器１１１に設定された適宜の再生パワー指令電圧値Ｖ１を出力する。ＣＤ用レーザダイオード５０はこの再生パワー指令電圧値Ｖ１に応じた固定電流で連続駆動され、再生パワーのＣＤ用レーザ光２０を出力する。この再生パワーのＣＤ用レーザ光２０によりトラッキング制御が行われる。光ピックアップ１６のスレッド送り制御はＣＤ用レーザ光２０によるトラッキングエラー信号の直流成分に基づいて行われる。スピンドル制御はＦＧパルスに基づくＣＡＶ制御で行われる。
【００５１】
描画時の描画・フォーカス制御用レーザ光Ｂ（２２）のレーザパワーとトラッキング制御用レーザ光Ａ（２０）のレーザパワーは、図９（ａ）、（ｂ）に示すようになる。すなわち、（ａ）の描画・フォーカス制御用レーザ光Ｂは、１画素あたりの描画割り当て時間が一定でかつ該各画素の階調データに応じたデューティで再生パワー（非描画パワー）と記録パワー（描画パワー）の２値に変化する。記録パワーで描画層の可視光特性が変化して描画が行われる。また、再生パワー時にフォーカスエラーが検出される。（ｂ）のトラッキング制御用レーザ光Ａは再生パワーを持続し、トラッキング制御に利用される。
【００５２】
描画時の合焦状態は図１０に示すようになる。すなわち、描画・フォーカス制御用レーザ光Ｂ（２２）は描画層２６に合焦した状態となる。これに対し、トラッキング制御用レーザ光Ａ（２０）の合焦位置はデータ記録層３６から少し外れるが、外れる量はわずかであるのでグルーブ３４にトラッキングすることができる。
【００５３】
《図４の描画層付きＤＶＤ−Ｒ（＋Ｒ）の描画時》
図６のフォーカス制御切換スイッチ５７はＣＤ側に接続され、トラッキング制御切換スイッチ６７はＤＶＤ側に接続される。図７のスイッチ８２は接点ａ側に接続される。サーボスイッチ１００，１０２はオンされ、サーボスイッチ１０４，１０６はオフされる。これにより、ＣＤ用レーザダイオード駆動回路７８は能動状態となる。スイッチ１２７は描画パルスの信号レベル“１”、“０”に応じてオン、オフされる。これにより、ＣＤ用レーザダイオード５０は、描画パルスが“１”のときは電圧・電流変換器１３１，１３３の出力電流を加算した電流で駆動され、描画パルスが“０”のときは電圧・電流変換器１３１の出力電流のみで駆動される。このとき、フロントモニタ用受光素子７２で検出される描画パルスが“１”のときのレーザパワーはサンプルホールド回路９４にサンプルホールドされ、描画パルスが“０”のときのレーザパワーはサンプルホールド回路９２にサンプルホールドされる。アンプ１１９は描画パルスが“０”のときのレーザパワーを設定器１１１に設定された適宜の再生パワー（非描画パワー）指令電圧値Ｖ１に相当するパワーに制御する。アンプ１２１は描画パルスが“１”のときのレーザパワーを設定器１１３に設定された適宜の記録パワー（非描画パワー）指令電圧値Ｖ２に相当するパワーに制御する。これにより、描画パルスに応じた描画が行われる。フォーカス制御はＣＤ用レーザ光２０の戻り光に基づいて行われる。また、ＤＶＤ用レーザダイオード駆動回路８０はアンプ１２３から設定器１１５に設定された適宜の再生パワー指令電圧値Ｖ３を出力する。ＤＶＤ用レーザダイオード５２はこの再生パワー指令電圧値Ｖ３に応じた固定電流で連続駆動され、再生パワーのＤＶＤ用レーザ光２２を出力する。この再生パワーのＤＶＤ用レーザ光２２によりトラッキング制御が行われる。光ピックアップ１６のスレッド送り制御はＤＶＤ用レーザ光２２によるトラッキングエラー信号の直流成分に基づいて行われる。スピンドル制御はＦＧパルスに基づくＣＡＶ制御で行われる。
【００５４】
描画時の描画・フォーカス制御用レーザ光Ｂ（２０）のレーザパワーとトラッキング制御用レーザ光Ａ（２２）のレーザパワーは前出の図９（ａ）、（ｂ）と同様になる。すなわち、（ａ）の描画・フォーカス制御用レーザ光Ｂは、１画素あたりの描画割り当て時間が一定でかつ該各画素の階調データに応じたデューティで再生パワー（非描画パワー）と記録パワー（描画パワー）の２値に変化する。記録パワー時に描画層の可視光特性が変化して描画が行われる。また、再生パワー時にフォーカスエラーが検出される。（ｂ）のトラッキング制御用レーザ光Ａは再生パワーを持続し、トラッキング制御に利用される。
【００５５】
描画層付きＤＶＤ−Ｒ（＋Ｒ）の描画時の合焦状態は図１１に示すようになる。すなわち、描画・フォーカス制御用レーザ光Ｂ（２０）は描画層２６に合焦した状態となる。これに対し、トラッキング制御用レーザ光Ａ（２２）の合焦位置はデータ記録層３６から少し外れるが、外れる量はわずかであるのでグルーブ３４にトラッキングすることができる。
【００５６】
描画時の制御手順を図１２を参照して説明する。これは、描画層付きＤＶＤ−Ｒ（＋Ｒ）にＣＤ用レーザ光２０でフォーカス制御を行いＤＶＤ用レーザ光２２でトラッキング制御を行いながら、ＣＤ用レーザ光２０で描画を行うときのものである。はじめに描画時のディスク回転数を設定し、スピンドルモータ１４をその回転数にＣＡＶ制御する（Ｓ１）。
【００５７】
続いてレーザ光のパワー調整を行う（Ｓ２）。すなわち、はじめにＤＶＤ用レーザ光２２を点灯し、フロントモニタ用受光素子７２（図７）でそのレーザパワーを検出し、所定の再生パワーが得られるようにＤＶＤ用レーザ光２２の駆動電流を調整する。調整が終了したら描画中はその駆動電流を固定的に使用して（すなわちサーボループを形成せずに）ＤＶＤ用レーザ光２２を駆動する。ＤＶＤ用レーザ光２２を固定電流駆動すると描画中に周囲の温度変化によりレーザパワーが多少変動するが、ＤＶＤ用レーザ光２２はトラッキング制御に用いられるだけなので問題とならない（トラッキング制御に影響を及ぼすほどの変動にはならない）。続いてＣＤ用レーザ光２０を点灯し、フロントモニタ用受光素子７２（図７）でそのレーザパワーを検出し、所定の再生パワー（非描画パワー）と記録パワー（描画パワー）が得られるようにＣＤ用レーザ光２０の駆動電流を調整する。この調整した状態で描画を開始し、描画中もこのサーボループを使用して、ＡＬＰＣ制御によりレーザパワーが上記所定の再生パワー（非描画パワー）と記録パワー（描画パワー）に保たれるようにする。
【００５８】
続いてＣＤ用レーザ光２０についてフォーカスサーボ調整（フォーカスバイアス調整）をして、フォーカスサーボをオンさせる（Ｓ３）。そして、光ディスク１２の描画開始径方向位置に光ピックアップ１６を移動させる（Ｓ４）。移動が終了したら、ＤＶＤ用レーザ光２２についてトラッキングサーボ調整（トラッキングバランスおよびゲイン調整）をして、トラッキングサーボをオンさせる（Ｓ５）。これで描画の準備が整い、ホストコンピュータ１３から光ディスク装置１０に画像データを転送して描画を開始させる（Ｓ６）。描画を連続的に行い、画像全体の描画が終了したら（Ｓ７）、制御を終了する。
【００５９】
ところで、光ディスクの盤面に描画を行う場合、描画しようとする光ディスクが描画可能なディスクかどうかを予め判断する必要がある。その判断手法の一例を説明する。これは、光ディスクが描画可能なディスクであることを示す識別情報（描画可能ディスク識別情報）を新たに定義して光ディスク１２のデータ記録層に記録し、光ディスクが光ディスク装置１０（図１）に挿入されたときに、光ピックアップ１６でこの描画可能ディスク識別情報が読み取られるか否かによって、この挿入された光ディスクが描画可能かどうかを判断するものである。
【００６０】
《描画層付きＣＤ−Ｒにおける描画可能ディスク識別情報の定義例》
データ記録層のプリグルーブに記録されるＡＴＩＰの未定義コードを用いて描画可能ディスク識別情報を記録することができる。図１３はＡＴＩＰのデータ構造を示す。このデータ構造で、“Ｕ１”＝“１”とし、“Ｕ２〜Ｕ７”に描画可能ディスク識別情報を入れることができる。例えば“Ｕ１〜Ｕ７”＝“１０１０１０１”を描画可能ディスク識別情報として定義することができる。
【００６１】
《描画層付きＤＶＤ−Ｒ（＋Ｒ）における描画可能ディスク識別情報の定義例》
ＤＶＤ−Ｒの場合はデータ記録層のランドプリピットの未定義コードを用いて描画可能ディスク識別情報を記録することができる。ＤＶＤ＋Ｒの場合はデータ記録層のＡＤＩＰの未定義コードを用いて描画可能ディスク識別情報を記録することができる。
【００６２】
以上のように描画可能ディスク識別情報をデータ記録層に記録する場合の光ディスク装置１０による描画可能ディスク判断フローを図１４に示す。この制御は前出の図１２の制御を実行する前に実行される。光ディスク装置１０に光ディスク１２を挿入すると、スピンドルモータ１４が回転駆動される（Ｓ１０）。次いで、光ピックアップ１６がディスク内周部（ＡＴＩＰ情報や描画可能ディスク識別情報が記録されている径方向位置）に移送される（Ｓ１１）。ディスク内周部に達したらＣＤ用レーザ光２０を再生パワーで点灯し（ＤＶＤ用レーザ光２２は消灯）、フォーカスサーチを行い、フォーカスエラーの振幅値が最も大きく得られる層（この層がＣＤのデータ記録層の位置にある層と推定される）に合焦させる（Ｓ１２）。合焦位置でトラッキングを試行し（Ｓ１３）、トラッキングに成功したら（Ｓ１４で“ＹＥＳ”）、該トラックから読み取られる情報（例えばＡＴＩＰ情報）から描画可能ディスク識別情報の有無を判断し、該識別情報が得られた場合（Ｓ１５で“ＹＥＳ”）はＤＶＤ用レーザ光２２による描画層への描画を許可する（Ｓ１６）。合焦位置でトラッキングに成功したが（Ｓ１４で“ＹＥＳ”）、該トラックから読み取られる情報から描画可能ディスク識別情報が得られなかった場合は（Ｓ１５で“ＮＯ”）、描画可能ディスクではないと判断して描画を禁止する（Ｓ２２）。
【００６３】
合焦位置でトラッキングできなかった場合は（Ｓ１４で“ＮＯ”。合焦位置にある層がトラックのない描画層と推定される）、ＤＶＤ用レーザ光２２を再生パワーで点灯し（ＣＤ用レーザ光２０は消灯）、フォーカスサーチを行い、フォーカスエラーの振幅値が最も大きく得られる層（この層がＤＶＤのデータ記録層の位置にある層と推定される）に合焦させる（Ｓ１７）。合焦位置でトラッキングを試行し（Ｓ１８）、トラッキングに成功したら（Ｓ１９で“ＹＥＳ”）、該トラックから読み取られる情報（例えばランドプリピット情報、ＡＤＩＰ情報）から描画可能ディスク識別情報の有無を判断し、該識別情報が得られた場合（Ｓ２０で“ＹＥＳ”）はＣＤ用レーザ光２０による描画層への描画を許可する（Ｓ２１）。合焦位置でトラッキングに成功したが（Ｓ１９で“ＹＥＳ”）、該トラックから読み取られる情報から描画可能ディスク識別情報が得られなかった場合は（Ｓ２０で“ＮＯ”）、描画可能ディスクではないと判断して描画を禁止する（Ｓ２２）。合焦位置でトラッキングできなかった場合も（Ｓ１９で“ＮＯ”。ＣＤ規格ディスク，ＤＶＤ規格ディスクのいずれにも該当しないと推定される）、描画を禁止する（Ｓ２２）。
【００６４】
なお、前記実施の形態ではＣＤ用レーザダイオード駆動回路７８とＤＶＤ用レーザダイオード駆動回路８０でフロントモニタ用受光素子７２を共用するようにしていたため、描画時はフロントモニタ用受光素子７２を描画・フォーカス制御用レーザ光ＢのＡＬＰＣ制御用に使用し、トラッキング制御用レーザ光Ａについては固定電流駆動としたが、描画・フォーカス制御用レーザ光Ｂとトラッキング制御用レーザ光Ａでフロントモニタ用受光素子を個別に搭載した光ピックアップを使用すれば描画・フォーカス制御用レーザ光Ｂとトラッキング制御用レーザ光Ａの両者についてＡＬＰＣ制御をしながら描画を行うことができる。
【００６５】
また、前記実施の形態では光ピックアップからＣＤ用レーザ光とＤＶＤ用レーザ光を出射して、描画層付きＣＤ−Ｒおよび描画層付きＤＶＤ−Ｒ（＋Ｒ）に描画を行う場合について説明したが、この発明はこれ以外にも適用することができる。例えば、光ピックアップからＣＤ用レーザ光とＢＤ（ブルーディスク）用レーザ光を出射して、描画層付きＣＤ−Ｒおよび描画層付きＢＤ−Ｒに描画を行う場合にこの発明を適用することができる。また、光ピックアップからＤＶＤ用レーザ光とＢＤ（ブルーディスク）用レーザ光を出射して、描画層付きＤＶＤ−Ｒ（＋Ｒ）および描画層付きＢＤ−Ｒに描画を行う場合にこの発明を適用することができる。
【図面の簡単な説明】
【００６６】
【図１】この発明が適用された描画機能付き光ディスク装置１０のシステム構成を示すブロック図である。
【図２】この発明による描画可能型光ディスクとしてＣＤ規格記録＋描画可能型光ディスクの層構造例を示す模式断面図である。
【図３】図２のＣＤ規格記録＋描画可能型光ディスクの変形例を示す模式断面図である。
【図４】この発明による描画可能型光ディスクとしてＤＶＤ規格記録＋描画可能型光ディスクの層構造例を示す模式断面図である。
【図５】図１の光ピックアップ１６の光学系の構成例を示す模式図である。
【図６】図１のサーボ回路３７におけるフォーカス制御、トラッキング制御、スレッド送り制御に関する部分の構成例を示すブロック図である。
【図７】図５のＣＤ用レーザダイオード５０と、ＤＶＤ用レーザダイオード５２の駆動回路（図１のＡＬＰＣ回路３９とレーザドライバ２７）の構成例を示すブロック図である。
【図８】図１の光ディスク１２の描画層に描画する１枚の画像を構成する画素の配列例を示す模式図である。
【図９】この発明による描画可能型光ディスクの描画時の描画・フォーカス制御用レーザ光のレーザパワーとトラッキング制御用レーザ光のレーザパワーを示す波形図である。
【図１０】この発明による描画層付きＣＤ−Ｒの描画時の合焦状態を示す模式断面図である。
【図１１】この発明による描画層付きＤＶＤ−Ｒ（＋Ｒ）の描画時の合焦状態を示す模式断面図である。
【図１２】図１のシステム構成による描画時の制御手順を示すフローチャートである。
【図１３】ＣＤ−ＲのＡＴＩＰのデータ構造を示す
【図１４】描画可能ディスク識別情報をデータ記録層に記録する場合の図１の光ディスク装置１０による描画可能ディスク判断手順の一例を示すフローチャートである。
【符号の説明】
【００６７】
１０…描画機能付き光ディスク装置（光ディスク描画装置）、１２…光ディスク、１２ａ…レーザ入射面、１２ｂ…レーベル面（ビーム入射面と反対の面）、１４…スピンドルモータ、１６…光ピックアップ、１８…対物レンズ、２０…ＣＤ用レーザ光、１９，３７，３９…制御回路、２２…ＤＶＤ用レーザ光、２４…第１の透明基板、２６…描画層、２７…レーザドライバ（ビーム変調回路）、２８，４８…半透明反射層、３２…第２の透明基板、３４…グルーブ（トラック）、３６…データ記録層、３８…反射層、４６…印刷層、７４…フォーカスアクチュエータ、７６…トラッキングアクチュエータ、Ａ…第１のビーム、Ｂ…第２のビーム、ｆａ，ｆｂ…合焦位置。
【図１】
2008004180.tif 000003
【図２】
2008004180.tif 000004
【図３】
2008004180.tif 000005
【図４】
2008004180.tif 000006
【図５】
2008004180.tif 000007
【図６】
2008004180.tif 000008
【図７】
2008004180.tif 000009
【図８】
2008004180.tif 000010
【図９】
2008004180.tif 000011
【図１０】
2008004180.tif 000012
【図１１】
2008004180.tif 000013
【図１２】
2008004180.tif 000014
【図１３】
2008004180.tif 000015
【図１４】
2008004180.tif 000016